(57)【要約】【課題】複数の情報を出力することができる新たな入力デバイスおよび当該入力デバイスを使用したシステム、サービス等の提供を課題とするものである。また、従来の入力デバイスとは異なる他の形態の入力デバイスの提供を課題とするものである。【解決手段】  入力デバイス１であって、静電容量検知式のタッチパネルＴによって認識可能な１又は２以上の被検出部８、１１を有し、前記被検出部の全部または一部を移動可能に設けたことを特徴とする。また、他の態様では、静電容量検知式のタッチパネルによって認識可能な２以上の被検出部を保持する筐体を有し、２以上の被検出部を互いに連動して移動若しくは回転するように設けたことを特徴とする。【選択図】図１
2018081396.tif 000002
【特許請求の範囲】
【請求項１】
静電容量検知式のタッチパネルによって認識可能な１又は２以上の被検出部を有し、
前記被検出部の全部または一部を移動可能に設けたことを特徴とする入力デバイス。
【請求項２】
静電容量検知式のタッチパネルによって認識可能な１又は２以上の被検出部を保持する筐体を有し、
当該被検出部を筐体に対して回転可能に設けたことを特徴とする入力デバイス。
【請求項３】
静電容量検知式のタッチパネルによって認識可能な２以上の被検出部を保持する筐体を有し、
２以上の被検出部を互いに連動して移動若しくは回転するように設けたことを特徴とする入力デバイス。
【請求項４】
静電容量検知式のタッチパネルによって認識可能な２以上の被検出部を保持する筐体を有し、
タッチパネルの表面に筐体を把持して載置した場合、前記被検出部の少なくとも一つは常にタッチパネルによって検出された状態となり、
他の被検出部は、人体との接触若しくは操作によってタッチパネルによって検出された状態となるように構成したことを特徴とする入力デバイス。
【請求項５】
静電容量検知式のタッチパネルによって認識可能な被検出部を有する複数のパーツを有し、当該複数のパーツを組み合わせることによって、タッチパネルによって認識可能な情報を形成するように構成したことを特徴とする入力デバイス。
【請求項６】
静電容量検知式のタッチパネルによって認識可能な被検出部をローラーの表面に設け、タッチパネル上における前記ローラーの回転に伴って、タッチパネルによって被検出部を検出できるように構成したことを特徴とする入力デバイス。
【発明の詳細な説明】
【技術分野】
【０００１】
本発明は入力デバイスおよび入力デバイスを用いた入力方法等に関するものである。
【背景技術】
【０００２】
スマートフォンなどの電子機器に搭載したタッチパネルによって、カードに搭載した複数の導電部を同時に検出させ、この導電部(被検出部)の配置を情報として利用する特許文献１記載のシステム等が知られている。
当該システムに使用するカードは、タッチパネルによって検出可能な静電容量を保持する被検出部が複数設けられているが、被検出部の配置は固定されており一つの入力デバイスに一つの情報しか保持できないものであった。
【先行技術文献】
【特許文献】
【０００３】
【特許文献１】特開２０１６−９２９１号公報
【発明の概要】
【発明が解決しようとする課題】
【０００４】
本発明は当該事情に鑑み発明したものであって、複数の情報をタッチパネルに対して検出させることができる新たな入力デバイスおよび当該入力デバイスを使用したシステム、サービス等の提供を課題とするものである。また、従来の入力デバイスとは異なる他の形態の入力デバイスの提供を課題とするものである。
【課題を解決するための手段】
【０００５】
上記課題を解決するために、本発明は以下の構成を有することを特徴とする。すなわち、
静電容量検知式のタッチパネルによって認識可能な１又は２以上の被検出部を有し、
前記被検出部の全部または一部を移動可能に設けたことを特徴とする入力デバイス。
【０００６】
また、入力デバイスであって、
静電容量検知式のタッチパネルによって認識可能な１又は２以上の被検出部を保持する筐体を有し、
当該被検出部を筐体に対して回転可能に設けたことを特徴とする。
【０００７】
また、入力デバイスであって、
静電容量検知式のタッチパネルによって認識可能な２以上の被検出部を保持する筐体を有し、
２以上の被検出部を互いに連動して移動若しくは回転するように設けたことを特徴とする。
【０００８】
また、入力デバイスであって、
静電容量検知式のタッチパネルによって認識可能な２以上の被検出部を保持する筐体を有し、
タッチパネルの表面に筐体を把持して載置した場合、前記被検出部の少なくとも一つは常にタッチパネルによって検出された状態となり、
他の被検出部は、人体との接触若しくは操作によってタッチパネルによって検出された状態となるように構成したことを特徴とする。
【０００９】
また、入力デバイスであって、
静電容量検知式のタッチパネルによって認識可能な被検出部を有する複数のパーツを有し、当該複数のパーツを組み合わせることによって、タッチパネルによって認識可能な情報を形成するように構成したことを特徴とする。
【００１０】
また、入力デバイスであって、
静電容量検知式のタッチパネルによって認識可能な被検出部をローラーの表面に設け、タッチパネル上における前記ローラーの回転に伴って、タッチパネルによって被検出部を検出できるように構成したことを特徴とする。
【発明の効果】
【００１１】
本発明は、タッチパネルを用いた情報の伝達を可能にするものであるが、伝達する情報の数に実質的な制限のない入力デバイスを提供できるという効果を有している。
【図面の簡単な説明】
【００１２】
【図１】本実施の形態に係る入力デバイスの外観図である。
【図２】本実施の形態に係る入力デバイスの分解斜視図である。
【図３】本実施の形態に係る入力デバイスの側面図である。
【図４】本実施の形態に係る入力デバイスの底面図である。
【図５】図４に示した入力デバイスのＸ−Ｘ線における端面図である。
【図６】本実施の形態に係る入力デバイスの導電体の配置に関する説明図である。
【図７】実施例１に係る入力デバイスの外観斜視図である。
【図８】実施例１に係る入力デバイスの分解斜視図である。
【図９】実施例１に係る入力デバイス内に設ける内部ユニットの説明図である。
【図１０】実施例１に係る入力デバイスの識別方法の一例に関する説明図である。
【図１１】実施例５に係る入力デバイスの説明図である。
【図１２】実施例６に係る入力デバイスの説明図である。
【図１３】実施例７に係る入力デバイスの分解状態の説明図である。
【図１４】実施例７に係る入力デバイスの組み合わせ状態の説明図である。
【図１５】実施例８に係る入力デバイス５００の説明図である。
【図１６】実施例８に係る入力デバイス５００の操作内容の説明図である。
【発明を実施するための形態】
【００１３】
以下、本発明の一実施の形態を図を用いて説明する。図１は、本実施の形態に係る入力デバイス１の外観図、図２は分解斜視図を表している。
入力デバイス１は、本体部を構成する筐体２、本体部を構成する筐体２に装着する導電板３、筐体２内部に配置する可動部材４、可動部材４を操作（回転）させるつまみ状の操作手段５を有している。
筐体２は、等間隔となる３方向に突出部６を設けた外周を有する円板状に形成されている。突出部６には、電子機器が備える静電容量検知式のタッチパネルによって検出可能な態様の被検出部を構成する電気導電性を有する導電体７が配置されている。
【００１４】
本実施例では導電体７は、頂部に形成したくびれのある突起を利用して筐体２表面に設けた導電板３と係合し固定されるようになっており、タッチパネルによって検出可能となるように、導電板３との間において電荷の移動が可能になっている。
また、本実施の形態では、導電体７は導電性を有するゴムや樹脂、金属、表面に導電性塗料等によってコーティングした樹脂素材等によって円柱状の軸部を有する形状に形成されている。円柱状の軸部は、筐体２の突出部６に形成した円形孔の中に、導電体７の底面が筐体２の底面と一致する態様で収容されるようになっている。
【００１５】
可動部材４は、底面に開口９を有する筐体２内部の収容空間８内において回転する回転体として形成されている。
可動部材４の底面１０は、収容空間８の底面（開口９）と略同一面となるように形成されている。また、可動部材４には、の被検出部を構成する導電体１１が取り付けられており、可動部材４の回動とともに、収容空間８の底面（開口９）に沿って回動するようになっている。
導電体１１は導電性を有するゴムや樹脂、金属、表面に導電性塗料等によってコーティングした樹脂素材等によって、下部に円柱状の軸部を有する形状に形成されている。導電体１１の上部にはくびれを設けた突起状の当接部１２を設けており、導電板３に接触した状態で可動部材４に対して取り付けられるようになっている。
【００１６】
図３は、入力デバイス１の側面図を表している。同図に示すように、各導電体７と各導電体１１は、底面方向において同一の高さとなるように設けられている。
導電体７と導電体１１の高さは開口９と同一面でもよいが、製作した各部材の形状が設計通りでない場合には高さが揃わないため、若干突出させた形状にして導電体７と導電体１１の弾性変形によって（弾性変形可能な素材によって形成した場合）、タッチパネルに対して同時に接触するようになっている。
【００１７】
図４は入力デバイス１の底面図、図５は同底面図に示したＸ−Ｘ線における端面図である。可動部材４は、筐体２内部の収容空間８内において、僅かに上下できるように余裕を設けた設計になっている。さらに、可動部材４に取り付けた導電体１１も可動部材４に対して僅かに上下できるように余裕を設けた設計になっている。
【００１８】
図６（ａ）は、タッチパネルによって検出される導電体７と導電体１１の配置を表した説明図である。電子機器は、タッチパネルに接触若しくは近接（以下「接触」という）した導電体７と導電体１１の配置を、タッチパネル上の座標として検出することができる。検出される実際の座標は、タッチパネルの大きさや仕様に応じて個々の電子機器において異なるが、導電体７と導電体１１の配置関係は同一である。
筐体２には、３個の導電体７を正三角の角の位置に配置している。この導電体の配置と個数はこの例に限るわけではない。すなわち、筐体２に対して固定的（筐体２を認識させる手段として）に設ける導電体は、１個、２個、４個以上であってもよく、その配置も正三角形に限らないものである。
可動部材４には２個の導電体１１を設けているが、この導電体１１の配置位置は可動部材４の回動に応じて、固定的な導電体７に対して相対的に変動する。
【００１９】
入力デバイス１をタッチパネルに接触させると、筐体２に取り付けた３個の導電体７が、それぞれ正三角形状の座標（Ｘａ、Ｙａ）、（Ｘｂ、Ｙｂ）、（Ｘｃ、Ｙｃ）として認識可能になる。
この際、可動部材４に設けた導電体１１は、可動部材４の回転軸を中心として回転する。簡単に説明するために、例えば可動部材４を４５度ずつ回転させると、導電体１１は（Ｘ１、Ｙ１）〜（Ｘ８、Ｙ８）の何れかの座標位置で検出されることになる。可動部材４を４５度ずつ回転位置が定まるようにするには、４５度ずつ回転したところで係脱可能に係合するラチェットの爪のような部材を設ければよい。なお、この規定角度は４５度に限るわけではなく、さらに爪のような部材を設けずに、位置決めすることなく回転自在に構成してもよい。
【００２０】
図６（ｂ）は、可動部材４を回転させ、ある位置で停止させた際の導電体７と導電体１１の配置を表している。３個の導電体７の配置は固定されているので、各導電体７間の長さは一定であり、かつ各導電体７間を結ぶ線分間の角度は同一である。タッチパネルによって検出した座標の中から、このような関係を有する座標が見いだされた場合、これらの座標位置（Ｘａ、Ｙａ）、（Ｘｂ、Ｙｂ）、（Ｘｃ、Ｙｃ）が、可動部材４によって変動する導電体１１の座標を検出するための基準点になる。
この各基準点から、各可導電体１１の配置座標までの距離や角度を取得することで、可動部材４の回転位置（回転角度）が取得される。
【００２１】
入力デバイス１は、使用者が設定した情報をタッチパネルを用いて入力する場合や、タッチパネルに表示された指示に基づいた情報をタッチパネルを用いて入力する場合等に使用することが出来る。
上記入力デバイス１を用いた情報の入力は、ウエブブラウザによって実行されるプログラム、電子機器にインストール（ダウンロード）したアプリケーションプログラムによって行わせることができる。
【００２２】
また、電子機器が取得する導電体７と導電体１１の座標は、使用する電子機器によって異なるものであるが、同一の配置である場合、各導電体の距離の比率、角度は同じである。すなわち、導電体の配置位置を結ぶ線によって形成される形状は、電子機器に関わらず略相似形となる。
この導電体の配置位置の関係を情報として利用することで、一つの入力デバイス１を使用して異なる複数の情報を生成し、入力することが可能になっている。
なお、上記の入力デバイス１は、導電体７と導電体１１を底面側に露出させる構造になっているが、薄板状の閉塞部材によって覆う構造にしてもよい。この場合、閉塞部材を介して導電体７と導電体１１の配置がタッチパネルによって検出される。
また、上記の入力デバイス１は、操作手段５によって回転する可動部材４は一つであるが、２個以上並べた形態の入力デバイスを構成してもよく、この場合入力できる情報の数を増加させることが可能になる。
【００２３】
（実施例１）
次に、入力デバイスの他の形態について説明する。
図７、８は、他の形態の入力デバイス１００を表している。一例として入力デバイス１００は、スマートフォンＳのタッチパネルＴよりもやや小さい程度の矩形面を有する、やや肉厚の板状体として形成されている。なお、外観は板状に限るわけでは無く、何かの形象物を倣った立体的な形状を成していてもよい。
入力デバイス１００は、本体部を構成するフレーム（筐体）１０１、フレーム内に配置する同一仕様の３個の歯車１０２（１０２ａ、１０２ｂ、１０２ｃ）、回転可能に歯車を支持する導電性を有する板状体１０３、歯車と連動して回転する表示板１０４、表面に装着するカバー１０５を有している。なお、各歯車１０２の歯数やピッチ円直径は、必ずしも同一である必要はなく仕様に応じて設定されるものである。
【００２４】
図９は、フレーム１０１とカバー１０５の間に配置される板状体１０３に取り付けた歯車１０２、歯車１０２に装着する導電体１０６（１０６ａ、１０６ｂ、１０６ｃ）、表示板１０４等から構成される内部ユニット１０７の正面図（図９（ａ））および底面図（図９（ｂ））を表している。
板状体１０３は、一例としてアルミニウム、銅、鉄、ステンレスその他の金属板、板状に形成した各種素材の表面を電気導電性のある素材によってコーティング若しくはメッキ処理したもので構成される。板状体１０３には、各歯車１０２の軸受け部となる孔を設けており、この孔を用いて板状体１０３の裏面側に歯車１０２を設け、表面側に表示板１０４を設けている。歯車１０２と表示板１０４はネジによって連結され、板状体１０３に設けた孔を中心に回転するように構成される。
【００２５】
各歯車１０２には、表裏貫通した装着孔を設けており、この装着孔に対して１〜２個の導電体１０６を装着するようになっている。この導電体１０６がタッチパネルに対する被検出部となる。本実施の形態では一つの歯車１０２に体して一つの導電体１０６を装着している。導電体１０６は、一端側にフランジ状の縁部を設けた有底の筒状体として構成しており、歯車１０２の上面側から差し込むと歯車１０２の下面側に底部がやや突出するような状態で取り付けられるようになっている。
また、フランジ状に形成した導電体１０６の上部は板状体１０３の裏面と接触した状態となり、板状体１０３が有する電荷若しくは人体との接触に伴う電荷によって、歯車１０２から突出した底部１０８がタッチパネルによって検出可能になっている。
【００２６】
底面図である図９（ｂ）に表したように３つの歯車１０２は互いに噛合しており、例えば手動で歯車１０２ａを回転させると、これに連動して他の 歯車１０２ｂ、１０２ｃも回転する。そして、この回転に伴って、各歯車に装着した導電体１０６ａ、１０６ｂ、１０６ｃも回転し、互いの位置関係が変化する。
【００２７】
図１０（ａ）、図１０（ｂ）、図１０（ｃ）に示した各図は、各歯車１０２の回転に伴って移動する導電体１０６ａ、１０６ｂ、１０６ｃの位置の変化を表した図である。図１０（ｂ）は、図１０（ａ）に示した状態から各歯車１０２が略６０度回転した場合の導電体１０６ａ、１０６ｂ、１０６ｃの位置を表している。また、図１０（ｃ）は、図１０（ｂ）に示した状態から各歯車１０２が更に略６０度回転した場合の導電体１０６ａ、１０６ｂ、１０６ｃの位置を表している。
このように変化した各導電体の配置位置は、タッチパネルＴによって検出されるので、この配置位置をタッチパネルＴに対する入力情報として使用することが可能になる。
【００２８】
図１０（ａ）に示した導電体１０６ａ、１０６ｂ、１０６ｃの位置は、同図に示すように各導電体間の距離Ｌａ１、Ｌａ２、Ｌａ３となっている。この各導電体間の距離が定まると、距離Ｌａ１、Ｌａ２、Ｌａ３によって三角形が定義される。例えば、この距離Ｌａ１、Ｌａ２、Ｌａ３によって定義される三角形と同一若しくは相似する形状、若しくは各導電体の配置を定義した情報と比較することによって、入力デバイス１００によって生成される情報の特定が可能となる。この情報の特定は、予めデータベースに記憶した情報との比較若しくはプログラムによる演算結果によって判断される。
【００２９】
図１０（ｂ）に示した導電体１０６ａ、１０６ｂ、１０６ｃの位置は、同図に示すように各導電体間の距離Ｌｂ１、Ｌｂ２、Ｌｂ３となっている。図１０（ｃ）に示した導電体１０６ａ、１０６ｂ、１０６ｃの位置は、同図に示すように各導電体間の距離Ｌｃ１、Ｌｃ２、Ｌｃ３となっている。
各導電体１０６ａ、１０６ｂ、１０６ｃは、互いに関連した規則的な位置関係を有するので、再現性のある複数の情報を入力することが可能となっている。
【００３０】
（実施例２）
上記実施例１として説明した入力デバイス１００は、一つの導電体１０６を装着した歯車１０２を、３個連動して観点するように構成した。しかしながら、導電体を装着した歯車の数は３個に限らず、１個、２個、４個以上であっても差し支えない。また、導電体を装着した歯車を２個以上設ける場合、全ての歯車を噛合させる必要はなく、他の歯車とは連動せずに独立して回転する歯車を設けても良い。このような構成にすると、導電体１０６の配置によって構成される識別可能な情報量が増加する。
【００３１】
（実施例３）
また、上記実施例１として説明した入力デバイス１００は、歯車１０２に対して導電体１０６を装着するように構成している。しかしながら、歯車と導電体を一体的に構成してもよい。この場合、導電体のみがタッチパネルによって検出されるように、最適な形状に形成されることはいうまでもない。
【００３２】
（実施例４）
また、上記実施例１乃至３として説明した各入力デバイス上の固定位置において、タッチパネルＴに対して任意の入力（検出／非検出の切り替え）を行うことができるスイッチ状の操作手段を設けてもよい。当該操作手段は、人体が触れることによって機能するように構成してもよいし、押圧スイッチのような機械的な動作によって機能するように構成してもよい。
また、以上説明した実施例１乃至４の入力デバイスは、回転する歯車の連動を利用して被検出部の位置を変化させるものであるが、回転歯車と噛み合って往復動するラックを用いた構造にしてもよい。さらに、回転部を設けず、計算尺のスライド機構のように往復動する部材を利用して被検出部の相対的な位置を変えるようにしても良い。
【００３３】
（実施例５）
図１１は他の形態の入力デバイス２００の説明図であり、図１１（ａ）は、斜め上方から見た入力デバイス２００の外観斜視図、図１１（ｂ）は、斜め下方から見た入力デバイス２００の外観斜視図を表している。
一例として入力デバイス２００は、合成樹脂により一体成型された矩形ブロック状の外観を成しており、指先で把持することができる程度の大きさに形成されている。入力デバイス２００の上面の先端側には、指先で触れることができる接触部２０１が設けられている。また、入力デバイス２００の底面の先端側に、タッチパネルによって検出可能な電極面として作用する被検出部２０２を設けている。接触部２０１と被検出部２０２は、ともに周囲に環状の溝２０３、２０４を設けており、これにより他の平面部との境界を形成している。
【００３４】
入力デバイス２００の先端面には、上下方向に亘る溝２０５を設けている。溝２０３、２０４、２０５の内面は、入力デバイス２００の表面から凹んだ位置において繋がっており、繋がった溝の底面に導電性塗料やインクを塗布するとともに接触部２０１と被検出部２０２にも連続的に塗布することで、接触部２０１と被検出部２０２を電気的に接続している。
【００３５】
また、入力デバイス２００の後方側の側面および後端面はやや凹んだ面（把持面）２０６として形成されるとともに、後方側に底面に環状の溝２０７に囲まれた円形の被検出部２０８を設けている。把持面２０６と環状の溝２０７の底面は切り欠き状の溝２０９を介して繋がっており、繋がった溝の底面に導電性塗料やインクを塗布するとともに把持面２０６と被検出部２０８にも連続的に塗布することで、把持面２０６と被検出部２０８を電気的に接続している。
【００３６】
当該構成の入力デバイス２００を、把持面２０６を指先で挟んでタッチパネル上に載置すると、タッチパネルは把持面２０６と電気的に連続している被検出部２０８を検出する。この状態では、被検出部２０２は検出されないが他の指の指先を接触部２０１に触れるとタッチパネに被検出部２０２を検出させることが可能になる。
すなわち、入力デバイス２００後方の被検出部２０８は常に検出される状態となっており、前方の被検出部２０２は接触部２０１に対する指先による任意の接触によって検出されるようになっている。このように、常に検出される被検出部と任意に検出させる被検出部を有するところに本入力デバイス２００の特徴がある。
この入力デバイスは、例えば接触部２０１に触れると、被検出部２０２と被検出部２０８を結ぶ方向に向かって弾を発射する映像を表示するようなシューティングゲーム用の操作具として利用することが可能である。また、接触部２０１に対する触れ方によって、発射する弾の種類を変える等の演出も可能である。
【００３７】
（実施例６）
図１２は他の形態の入力デバイス３００の説明図であり、図１２（ａ）は、斜め上方から見た入力デバイス３００の外観斜視図、図１２（ｂ）は、斜め下方から見た入力デバイス３００の外観斜視図を表している。
入力デバイス３００は、タッチパネル上に載置可能に構成した台座３０１を有するとともに、この台座３０１に対して回動可能に取り付けられた駆動部３０２を有している。
【００３８】
駆動部３０２は、台座３０１の表面に設けた操作部３０３と、台座３０１内で駆動する被検出部３０４、３０５を設けた動作部３０６を有している。すなわち、タッチパネルに接触可能に配置した被検出部３０４、３０５が、台座３０１の表面における操作部３０３の回動に応じて回動するようになっている。
また、操作部３０３の側面と被検出部３０４は電気的に導通されており、操作部を指先で把持するとタッチパネルによって被検出部３０４が検出可能となっている。
【００３９】
また、駆動部３０２の先端が側に設けた突出部３０７は、台座３０１に設けた表裏貫通する長溝３０８の範囲内で揺動するようになっており、被検出部３０５と突出部３０７の上面は電気的に導通している。突出部３０７の上面を指先で触るとタッチパネルによって被検出部３０５が検出可能になっている。
この入力デバイスは、例えば操作部３０３を把持した状態で突出部３０７の上面を指先で触ると、接触部２０１に触れると、被検出部３０４と被検出部３０５を結ぶ方向に向かって弾を発射する映像を表示するようなシューティングゲーム用の操作具として利用することが可能である。この時、台座３０１を動かすことなく、台座の上で操作部３０３を揺動させて、例えば的を狙って弾を発射するような遊びを提供することが可能となっている。
【００４０】
（実施例７）
図１３、１４は他の形態の入力デバイス４００の説明図である。
入力デバイス４００は、２つのピース４０１，４０２を組み合わせると正立方体になる組み合わせパズルとして形成されている。なお、組み合わせた後の形は正立方体に限るわけではなく、動物、野菜、食べ物などを模したものでもよく、本実施例の趣旨に沿うモノであればどのような形状でもよい。
【００４１】
入力デバイス４００は、２つのピース４０１，４０２のそれぞれにタッチパネルによって検出可能な導電面によって形成した被検出部を設けている。本実施例では、ピース４０１には３つの被検出部４０３、４０４、４０５を設け、ピース４０２には一つの被検出部４０６を設けている。
２つのピース４０１，４０２を正しく組み合わせると、被検出部４０３、４０４、４０５、４０６が同一の平面上に配置されることになり、この面をタッチパネルに接触させることによって、これら被検出部の組み合わせから生成されるコード（情報）を取得させることが可能になっている。
【００４２】
被検出部４０３、４０４、４０５、４０６は、一例としてその表面に導電性塗料をコーティングすることによって被検出部として作用する電極を構成し、同一の導電性塗料によって形成した導線部４０７によって、２つのピース４０１，４０２の被検出面以外の導電性塗料をコーティングした側面４０８や平面部と電気的に導通している。図示していないが、ピース４０２の側面にも導電性塗料がコーティングされており被検出部４０６と電気的に接続されている。
この場合、正常に組み合わせた入力デバイス４００を把持すると、側面にコーティングした導電性塗料に触れることができ、人体と被検出部４０３、４０４、４０５、４０６を導通させることが可能になる。これによって、タッチパネルに対する反応を強くすることができ、安定した検出ができるようになっている。
【００４３】
本実施例の最大の特徴は、複数の物体を組み合わせることによって、タッチパネルによって検出可能な情報を形成する点にある。したがって、入力デバイスの形状や、組み合わせの方法は上記の例に限らないものである。例えば、ジグソーパズルのように構成してもよいし、９パズル、１５パズルと称されるマトリクス状に配置したパズルピースを適正な配置に移動させるパズルとして構成してもよい。
なお、被検出部４０３、４０４、４０５、４０６や他の導電面は、外観から見えないようにパズルピースの内面に配置してもよい。
また、本実施例に係る機能を姿勢や外形等が変形する人形などに用いてもよい。この場合、変形の前後の態様によって識別される情報を変えることができ、これをゲームその他の遊びに利用することが可能になる。
【００４４】
（実施例８）
図１５は他の入力デバイス５００の説明図であり、図１５（ａ）は正面図、図１５（ｂ）は斜視図を表している。
入力デバイス５００は、円柱状のローラー５０１と、ローラー５０１の両端を回転可能に軸受けするためのフレーム５０２と、フレーム５０２に取り付けた取っ手５０３を有している。
ローラー５０１の円周面上には、導電性を有する帯状領域５０４を螺旋状に設けている。この帯状領域５０４は、導電性の塗料等のコーティングの他、導電性を有する金属テープ等の貼り付けによっても形成することができ、その形成する手段に限定は無い。
このように構成すると、タッチパネルに接触しながらローラー５０１を回転させることができ、ローラー５０１の回転に伴って、長尺の帯状領域５０４の途中にある領域を連続的にタッチパネルに接触させることが可能になる。
【００４５】
図１６は入力デバイス５００をタッチパネル上において操作した場合の説明図であり、図１６（ａ）は入力デバイス５００のローラー５０１をタッチパネル上で回転させながら移動させている状態の説明図、図１６（ｂ）はタッチパネルによって検出した帯状領域５０４の軌跡５０５、５０６を表している。
この実施例では、帯状領域５０４を直線状に形成しているので、タッチパネルによって検出される軌跡５０５、５０６も直線状になっている。ローラー５０１の回転によって入力される軌跡は、帯状領域５０４の形状に基づいて規則性のある情報として入力されることになる。この規則性のある情報は、タッチパネルを有する電子機器によって入力デバイス５００固有の情報として識別可能となっている。
【００４６】
なお、ローラー５０１の表面に設ける帯状領域５０４の形状は、情報として区別することができることが可能であれば、直線状に限らずどのようなものでもよい。また、複数の帯状領域５０４を同一のローラーの表面に設けても良い。
帯状領域５０４は、タッチパネルによって検出される被検出部として用いられるが、タッチパネルとの接触や近接によって検出することができるのであれば（検出可能な程度の静電容量を保持、若しくは確保できるのであれば）、その形状は問わないものである。上記の実施例において被検出部を帯状に形成したのは、検出される部位と他の部位との間で電荷の移動が可能となり、検出されやすい効果を有するからであり、別途検出に適した構造を採用して独立した小領域として形成してもよいものである。
【００４７】
この実施例の技術的な要旨は、ローラー５０１の回転に伴ってパネル上を移動しながら情報を入力できる点に特徴がある。
この情報は、ローラーの直径を異ならせることによっても変えることが出来るし、被検出部となる導電部の形状を変えることによっても行うことができる。また、従来の入力デバイスは、検出される部位を指先でタッチしたのと同様に点として認知するものであるが、これを指先でなぞるスワイプのような連続的な線として入力することができ、さらにタッチとスワイプを混合して入力させることも可能である。また、ローラーの回転速度を検出して、ゲーム等に利用するなど様々な用途に使用可能である。
さらに、個々に被検出部を設けた短いローラーを複数個設け、これらを着脱可能に結合して一つのローラーとしてもよい。この場合、結合のさせかたや噛み合わせの角度によってタッチパネルによって認識される情報を異ならせることができるので、一つの入力デバイスであっても複数の情報を保持させることが可能となっている。
【００４８】
また、上記入力デバイス５００は、操作するための取っ手５０３を有しているが、これを人形体として構成することも可能である。また、このような人形体を、フレーム５０２に対して交換可能となるように着脱可能に形成してもよい。
【００４９】
以上各実施例を説明したが、本発明は当該実施例に限定されるものではない。また、実施例記載の技術は本発明の趣旨を逸脱しない範囲において適宜組み合わせてもよいものである。
【産業上の利用可能性】
【００５０】
本発明は、スマートフォンやタブレットに対して情報の入力を行う入力デバイスとして使用することができるものであり、各種の認証システム、金融、ゲーム、玩具等の様々な分野に利用可能である。
【符号の説明】
【００５１】
１      入力デバイス
２      筐体
３      導電板
４      可動部材
５      操作手段
６      突出部
７      導電体（被検出部）
８      収容空間
９      開口
１０    底面
１１    導電体（被検出部）
１２    当接部
１００  入力デバイス
１０１  フレーム
１０２  歯車
１０３  板状体
１０４  表示板
１０５  カバー
１０６  導電体
１０７  内部ユニット
１０８  底部
２００  入力デバイス
２０１  接触部
２０２  被検出部
２０３、２０３  溝
２０６  把持面
２０７  溝
２０８  被検出部
２０９  溝
３００  入力デバイス
３０１  台座
３０２  駆動部
３０３  操作部
３０４、３０５  被検出部
３０６  動作部
３０７  突出部
３０８  長溝
４００  入力デバイス
４０１、４０２  ピース
４０３、４０６  被検出部
４０７  導線部
４０８  側面
５００  入力デバイス
５０１  ローラー
５０２  フレーム
５０３  取っ手
５０４  帯状領域
５０５  軌跡
Ｌａ１  距離
Ｌｂ１  距離
Ｌｃ１  距離
Ｓ  スマートフォン
Ｔ  タッチパネル
【図１】
2018081396.tif 000003
【図２】
2018081396.tif 000004
【図３】
2018081396.tif 000005
【図４】
2018081396.tif 000006
【図５】
2018081396.tif 000007
【図６】
2018081396.tif 000008
【図７】
2018081396.tif 000009
【図８】
2018081396.tif 000010
【図９】
2018081396.tif 000011
【図１０】
2018081396.tif 000012
【図１１】
2018081396.tif 000013
【図１２】
2018081396.tif 000014
【図１３】
2018081396.tif 000015
【図１４】
2018081396.tif 000016
【図１５】
2018081396.tif 000017
【図１６】
2018081396.tif 000018